(57)【要約】【課題】  カラーの文書の校正などを行う場合でも内容を十分に把握しつつ見やすい修正を入れることができる印刷物を出力することができる画像形成装置を提供する。【解決手段】  カラー文書をカラーにより印刷する機能と、カラー文書をモノクロにより印刷する機能を備えた画像形成装置において、カラー文書内の各ページをカラーとモノクロとにより印刷を行うようにした。【選択図】      図３
2007030169.tif 000002
【特許請求の範囲】
【請求項１】
カラー文書をカラーにより印刷する機能と、カラー文書をモノクロにより印刷する機能を備えた画像形成装置において、前記カラー文書内の各ページをカラーとモノクロとにより印刷するように制御する印刷制御手段を備えていることを特徴する画像形成装置。
【請求項２】
請求項１に記載の画像形成装置において、前記印刷制御手段は、前記カラー文書内の各ページを両面印刷する場合、同一ページのカラー印刷とモノクロ印刷が異なる用紙の裏面と表面になるように制御することを特徴とする画像形成装置。
【請求項３】
請求項１に記載の画像形成装置において、前記カラー文書内の各ページをカラーとモノクロとにより印刷する際には、カラー印刷を先に行うか、又はモノクロ印刷を先に行うか選択可能であることを特徴とする画像形成装置。
【請求項４】
請求項１に記載の画像形成装置において、前記印刷制御手段は、前記カラー文書の各ページをカラーとモノクロにより印刷する際には、同一用紙に集約して印刷することを特徴とする画像形成装置。
【請求項５】
少なくともカラー文書をカラーにより印刷する機能を備えた画像形成装置において、前記カラー文書内の各ページを元のカラーと、異なるカラーとにより印刷を行うように制御する印刷制御手段を備えていることを特徴する画像形成装置。
【請求項６】
請求項５に記載の画像形成装置において、前記異なるカラーが選択可能であることを特徴とする画像形成装置。
【発明の詳細な説明】
【技術分野】
【０００１】
本発明はカラーの文書をカラーにより印刷する機能とモノクロとにより印刷する機能を備えた画像形成装置に関するものである。
【背景技術】
【０００２】
近年、オフィスで作成する文書はカラーの文書が多くなっている。これらは電子文書であっても、校正する際にはＰＣ上から印刷して行うことが多い。
なお、先行文献としては、特許文献１にカラーページとモノクロページが混在した試し印刷を行う場合、システム全体のスルートップを向上させ、利用者による使い勝手を大幅に向上させることができる画像形成装置が提案されている。
【特許文献１】特開２００１−１０３３１８公報
【発明の開示】
【発明が解決しようとする課題】
【０００３】
ところで、カラーの文書をカラーにより印刷して校正を行う場合は、元の文書がカラーであるため、赤いペンなどで修正を記入しても、目立たず校正がやりにくいという問題点があった。
そこで、カラーの文書をモノクロで印刷して赤いペンにより校正を行うようにすることが考えられるが、その場合は元の文書の色が確認できないため、正しい校正を行うことができないおそれがあった。
本発明はこのような点を鑑みてなされたものであり、カラーの文書の校正などを行う場合でも内容を十分に把握しつつ、見やすい修正を入れることができる印刷物を出力することができる画像形成装置を提供することを目的とする。
【課題を解決するための手段】
【０００４】
上記目的を達成するため、請求項１に記載の発明は、カラー文書をカラーにより印刷する機能と、カラー文書をモノクロにより印刷する機能を備えた画像形成装置において、前記カラー文書内の各ページをカラーとモノクロとにより印刷するように制御する印刷制御手段を備えていることを特徴する。
請求項２に記載の発明は、請求項１に記載の画像形成装置において、前記印刷制御手段は、前記カラー文書内の各ページを両面印刷する場合、同一ページのカラー印刷とモノクロ印刷が異なる用紙の裏面と表面になるように制御することを特徴とする。
請求項３に記載の発明は、請求項１に記載の画像形成装置において、前記カラー文書内の各ページをカラーとモノクロとにより印刷する際には、カラー印刷を先に行うか、又はモノクロ印刷を先に行うか選択可能であることを特徴とする。
請求項４に記載の発明は、請求項１に記載の画像形成装置において、前記印刷制御手段は、前記カラー文書の各ページをカラーとモノクロにより印刷する際には、同一用紙に集約して印刷することを特徴とする。
請求項５に記載の発明は、少なくともカラー文書をカラーにより印刷する機能を備えた画像形成装置において、前記カラー文書内の各ページを元のカラーと、異なるカラーとにより印刷を行うように制御する印刷制御手段を備えていることを特徴する。
請求項６に記載の発明は、請求項５に記載の画像形成装置において、前記異なるカラーが選択可能であることを特徴とする。
【発明の効果】
【０００５】
本発明によれば、印刷制御手段によりカラー文書内の各ページをカラーとモノクロとにより印刷を行うことで、カラーの文書の校正などを行う場合でも内容を十分に把握しつつ、見やすい修正を入れることができる印刷物を提供することができる。
また本発明によれば、印刷制御手段によりカラー文書内の各ページを元のカラーと異なるカラーとにより印刷を行うことで、カラーの文書の校正などを行う場合でも内容を十分に把握しつつ、見やすい修正を入れることができる印刷物を提供することができる。
【発明を実施するための最良の形態】
【０００６】
以下、図面を参照して本発明の実施形態を説明する。
図１は、本発明の実施形態に係る画像形成装置の構成を示したブロック図である。
この図１において、印刷ジョブを投入するパーソナルコンピュータなどのホスト装置１０ａ、１０ｂがネットワーク２０に複数接続されており、本実施形態の画像形成装置３０が同じくネットワーク２０に接続され、複数のホスト装置１０ａ、１０ｂ、・・・から利用可能になっている。
なお、本実施形態では画像形成装置３０を１台しか示していないが複数の画像形成装置を接続して必要に応じて選択して利用することも可能である。
画像形成装置３０は、ネットワーク２０を介して、複数のホスト装置１０ａ、１０ｂ、・・・と通信を行うためのネットワークＩ／Ｆ（インターフェース）３１と、画像形成装置３０の状況の問い合わせや、動作の設定、データ保存等のコマンドを入力するための入力部３２と、状況の問い合わせ結果や、動作設定、コマンド等の確認のための表示部３３と、印刷データ、データ管理テーブル等を格納するＨＤＤ（ハード・ディスク・ドライブ）３４と、印刷ジョブのイメージ展開等の処理や印刷データの管理等を行うコントローラ３５と、用紙に文字や画像を記録する印刷エンジン３６とにより構成されている。なお、入力部３２と表示部３３はＬＣＤ（液晶ディスプレイ）等の表示装置と透明なタッチパネルとで一体に構成しても良い。
またコントローラ３５は、前述の機能を実行するため、ハードウエア的には図示しないマイクロプロセッサ、ＲＯＭ、ＲＡＭ等で構成され、その動作はプログラムによって制御されている。
【０００７】
以下、本実施形態の画像形成装置の画像形成動作について説明する。
先ず、図２に示すように、元になる文書のページが全てカラーである場合、本実施形態の画像形成装置３０では、図３に示すように夫々のページをカラーと、モノクロにより印刷する。
また、元になる文書のページ全てをカラーとモノクロで印刷する場合は、用紙が無駄になるので、例えば同一の用紙の裏面と表面に夫々カラーとモノクロを印刷するようにしても良い。但し、その場合は同じ用紙の表と裏に同じページのカラーとモノクロを印刷した場合は比較しづらいことになる。
そこで、本実施形態の画像形成装置３０においては、は用紙の両面に印刷を行う際に、例えば先頭に１ページの空白をいれることにより、図４に示すように１枚目の裏面に文書の１ページ目をカラー印刷し、２枚目の表面に１ページ目をモノクロ印刷するようにしている。以降は、同様に２枚目の裏面に文書の２ページ目をカラー印刷し、３枚目の表面に２ページ目をモノクロ印刷し、３枚目の裏面に文書の３ページ目をカラー印刷するようにしている。なお、４枚目以降は省略する。このようにすれば、１枚目の裏面を見ながら２枚目の表面に内容を記入することができる。
また、同じく用紙の節約のために、図５に示すように同じ用紙の左側にカラー、右側にモノクロで印刷を行うようにしても良い。
またユーザが左利きの場合などは記入するのがモノクロのため、図６に示すように左側にモノクロ、右側にカラーがくるように、モノクロとカラーの印刷順を変更するようにしても良い。このような印刷順序の変更（選択）はユーザが入力部３２により行うことが可能である。
【０００８】
図７は、本実施形態の画像形成装置の動作を実現する処理を示したフローチャートである。なお、図７に示す処理はコントローラ（印刷制御手段）３５が実行する。また、この場合は、ユーザにより予め校正印刷モードにより印刷が行われるように設定されているものとする。
この場合、まず、印刷が校正印刷モードである否か判断し（Ｓ１）、校正印刷モードであれば（Ｓ１でＹ）、次に両面印刷であるか否か判断する（Ｓ２）。なお、ステップＳ１において校正印刷モードで無いと判断した場合は（Ｓ１でＮ）、ステップＳ１４に進み、通常の文書印刷を行って処理を終えることになる。
一方、ステップＳ２において、両面印刷であると判断した場合は（Ｓ２でＹ）、空白ページを挿入する挿入印刷処理を行い（Ｓ３）、次にカラー印刷が先か否かの判断を行う（Ｓ４）。なお、ステップＳ２において両面印刷でないと判断した場合は（Ｓ２でＮ）、ステップＳ３の空白ページを挿入する挿入印刷処理を行うことなくステップＳ４に進む。ステップＳ４においてカラー印刷が先であると判断した場合は（Ｓ４でＹ）、印刷をカラーモードに設定した後（Ｓ５）、現在のページの印刷処理を実行する（Ｓ６）。
またステップＳ４においてカラー印刷が先でないと判断した場合は（Ｓ４でＮ）は印刷をモノクロモードに設定した後（Ｓ７）、現在のページの印刷処理を実行する（Ｓ６）。
【０００９】
そして続くステップＳ８において、モノクロ印刷が後であるか否かの判断を行い、モノクロが後であると判断した場合は（Ｓ８でＹ）、印刷をモノクロモードに設定した後（Ｓ９）、現在のページの印刷処理を実行する（Ｓ１０）。なお、カラー印刷を先に行うか否かの設定はユーザが入力部３２により予め行われているものとする。
また、ステップＳ８においてモノクロが後でないと判断した場合は（Ｓ８でＮ）、印刷をカラーモードに設定した後（Ｓ１１）、現在のページの印刷処理を実行する（Ｓ１０）。
この後、次のページに進み（Ｓ１２）、続くステップＳ１３において、ページが無いかどうか判断を行い、ページがあれば（Ｓ１３でＮ）、ステップＳ４に戻って処理を行う。
そして、ステップＳ１３において、もうページがないと判断した時点で（Ｓ１３でＹ）、処理を終えるようにする。これにより、本実施形態の画像形成装置の動作を実現することができる。
なお、本実施形態では、元になる文書のページが全てカラーである場合は、夫々のページをカラーとモノクロにより印刷する場合を例に挙げて説明したが、例えばカラー文書内の各ページを文書と同じカラーである元のカラーと、文書のカラーとは異なるカラーとにより印刷を行うようにしても良い。その場合のカラーの選択は、ユーザが入力部３２により入力を行うことで選択可能となる。
【図面の簡単な説明】
【００１０】
【図１】本発明の実施形態に係る画像形成装置の構成を示したブロック図である。
【図２】元になる文書のページ構成を示した図である。
【図３】各ページを夫々カラーとモノクロにより印刷した場合の図である。
【図４】先頭に空白を入れて夫々カラーとモノクロにより印刷した場合の図である。
【図５】同じ用紙の左側にカラー、右側にモノクロを印刷した場合の図である。
【図６】同じ用紙の左側にモノクロ、右側にカラーを印刷した場合の図である。
【図７】本実施形態の画像形成装置の動作を実現する処理を示したフローチャートである。
【符号の説明】
【００１１】
１０…ホスト装置、２０…ネットワーク、３０…画像形成装置、３２…入力部、３３…表示部、３５…コントローラ、３６…印刷エンジン
【図１】
2007030169.tif 000003
【図２】
2007030169.tif 000004
【図３】
2007030169.tif 000005
【図４】
2007030169.tif 000006
【図５】
2007030169.tif 000007
【図６】
2007030169.tif 000008
【図７】
2007030169.tif 000009